(57)【要約】【課題】煩雑なスイッチ操作をすることなく、所望の制御対象に対して所望の制御内容を容易に実行させることができる電子機器を提供する。【解決手段】ディスプレイ・タッチセンサ４に表示されているＣＤのシンボル４１の表示位置のタッチセンサ４ａを指５の接触操作に応じて指定して、タッチセンサ４ａ上のドラッグ操作に応じて、リピート再生のシンボル４２上まで移動させ、ドラッグ操作の停止により、指定されたＣＤのリピート再生を実行する。【選択図】　図３
2004118917.tif 000002
【特許請求の範囲】
【請求項１】
制御対象を表す少なくとも１つの第１のシンボル及び制御内容を表す少なくとも１つの第２のシンボルを表示する表示手段と、
前記表示手段に表示されている任意の第１のシンボル又は任意の第２のシンボルの少なくとも一方を所定の指示操作に応じて指定する指定手段と、
前記指定手段により指定されたシンボルの表示位置を所定の移動操作に応じて移動させる移動手段と、
前記移動操作の停止により第１のシンボルの表示位置と第２のシンボルの表示位置とが重なったことを検出した場合には、該第１のシンボルに対応する制御対象に対して該第２のシンボルに対応する制御内容を実行する制御手段と、
を有することを特徴とする電子機器。
【請求項２】
前記表示手段は、前記シンボルが表示される表示画面の接触に応じてその接触位置を検出するタッチセンサを有することを特徴とする請求項１記載の電子機器。
【請求項３】
前記指定手段は、任意のシンボルの表示位置において前記タッチセンサが接触された指示操作に応じて該シンボルを指定し、前記移動手段は、該シンボルの表示位置が接触された状態でスライド操作された移動操作に応じて該シンボルの表示位置を移動することを特徴とする請求項２記載の電子機器。
【請求項４】
前記指定手段は、任意のシンボルの表示位置において前記タッチセンサが所定時間以上接触された場合に該シンボルを指定することを特徴とする請求項３記載の電子機器。
【請求項５】
前記表示手段は、前記シンボルが表示される表示画面に照射される特定の光ビームに応じてその照射位置を検出する光センサを有することを特徴とする請求項１記載の電子機器。
【請求項６】
前記指定手段は、任意のシンボルの表示位置において前記光センサが光ビームの照射による指示操作に応じて該シンボルを指定し、前記移動手段は、該シンボルの表示位置が照射された状態で該光ビームの移動操作に応じて該シンボルの表示位置を移動することを特徴とする請求項５記載の電子機器。
【請求項７】
前記指定手段は、任意のシンボルの表示位置において前記光センサが光ビームにより所定時間以上照射された場合に該シンボルを指定することを特徴とする請求項６記載の電子機器。
【請求項８】
地図画像及びナビゲーションに関する少なくとも１つのシンボルを表示する表示手段と、
前記表示手段に表示されている任意のシンボルを所定の指示操作に応じて指定する指定手段と、
前記指定手段により指定されたシンボルの表示位置を所定の移動操作に応じて移動させる移動手段と、
前記移動操作の停止により前記指定されたシンボルの表示位置が存在する地図画像上の位置に対応する地点をナビゲーションに関する地点として設定する設定手段と、
を有することを特徴とするナビゲーション装置。
【請求項９】
前記ナビゲーションに関するシンボルは、前記地図画像上の位置に対応する地点を登録する地点登録のシンボルであることを特徴とする請求項８記載のナビゲーション装置。
【発明の詳細な説明】
【０００１】
【発明の属する技術分野】
本発明は、表示部を備えた電子機器に関する。
【０００２】
また、本発明は、表示された地図画像上の任意の位置をナビゲーションに関する地点として設定するナビゲーション装置に関する。
【０００３】
【従来の技術】
表示部を備えた従来の電子機器である一般の車載音響装置においては、ラジオを表すアイコン、ＣＤプレーヤを表すアイコン、ＣＤの曲のタイトルを表すアイコンなどのように、制御対象を表すシンボルを表示するとともに、リピート再生を表すアイコン、調整モードを表すアイコンなどのように、制御内容を表すシンボルを表示している。また、画面上で任意のアイコンを指定するために、カーソルを移動させるためのカーソルスイッチ、カーソル位置のアイコンによって制御対象を選択するとともに、カーソル位置のアイコンによって制御内容を選択する実行スイッチが設けられている。このような一般的な車載音響装置の操作手順において、例えば、ユーザがＣＤの曲をリピート再生させる場合には、カーソルスイッチの押下操作によって再生目的のＣＤのアイコンを指定して、実行スイッチの押下操作によってそのＣＤを選択する。次に、カーソルスイッチの押下操作によってリピート再生のアイコンを指定し、実行スイッチの押下操作によってリピート再生を選択する。
【０００４】
なお、このような車載音響装置に限らず、表示部を備えた従来の電子機器においては、表示部の画面のシンボルに対してスイッチ操作によって所望の制御を行う構成になっており、かかる構成を記載した文献も膨大な数に昇り、最も適切な先行技術文献として具体的なものを開示することは極めて困難である。したがって、上記したような当業者の間ですでに周知の一般の車載音響装置の操作手順を従来の技術の一例とする。
【０００５】
また、表示された地図画像上の任意の位置をナビゲーションに関する地点に設定できる従来のナビゲーション装置の操作手順についても、上記従来の車載音響装置の場合とほぼ同様である。例えば、ナビゲーションに関する地点として、任意の地点を登録する場合には、まず、地点登録を設定するための登録スイッチの接触操作によって、表示された地図画像の上にカーソルを表示させる。次に、カーソルスイッチの押下操作によってその地図の任意の位置にカーソルを移動させ、実行スイッチの押下操作によって、そのときのカーソル位置に対応する実際の地点を登録地点として設定するようになっている。
【０００６】
なお、このような従来のナビゲーション装置の構成は、極めて一般的なものであり、かかる構成を記載した文献も膨大な数に昇り、最も適切な先行技術文献として具体的なものを開示することは極めて困難である。したがって、上記したような当業者の間ですでに周知の一般のナビゲーション装置の操作手順を従来の技術の一例とする。
【０００７】
【発明が解決しようとする課題】
上記従来の電子機器においては、所望の制御対象に対して所望の制御内容を実行させるために、煩雑なスイッチ操作を何度も行う必要があり、ユーザに対して過大な負担を強いるという問題点があった。このため、例えば、従来の電子機器の一例としての車載音響装置においては、ラジオ、ＣＤプレーヤ機器などの音源機器を選択したり、所望のＣＤを選択してリピート再生などを行う場合には、特に運転中のユーザにとっては、煩雑なスイッチ操作を何度も行わなければならないという問題があった。
【０００８】
また、上記従来のナビゲーション装置においても、上記従来の電子機器の場合と同様に、例えば、表示された地図画像上の所望の位置を登録地点として設定するためには、煩雑なスイッチ操作を何度も行う必要があり、ユーザに対して過大な負担を強いるという問題点があった。
【０００９】
本発明は上記問題点に鑑みてなされたものであり、その目的とするところは、煩雑なスイッチ操作をすることなく、所望の制御対象に対して所望の制御内容を容易に実行させることができる電子機器を提供することにある。
【００１０】
また、本発明は、煩雑なスイッチ操作をすることなく、表示された地図画像上の所望の位置をナビゲーションに関する地点として容易に設定することができるナビゲーション装置を提供することにある。
【００１１】
【課題を解決するための手段】
上記目的を達成するために本発明の電子機器は、制御対象を表す少なくとも１つの第１のシンボル及び制御内容を表す少なくとも１つの第２のシンボルを表示する表示手段と、前記表示手段に表示されている任意の第１のシンボル又は任意の第２のシンボルの少なくとも一方を所定の指示操作に応じて指定する指定手段と、前記指定手段により指定されたシンボルの表示位置を所定の移動操作に応じて移動させる移動手段と、前記移動操作の停止により第１のシンボルの表示位置と第２のシンボルの表示位置とが重なったことを検出した場合には、該第１のシンボルに対応する制御対象に対して該第２のシンボルに対応する制御内容を実行する制御手段とを有するようにした。
【００１２】
従って、本発明の電子機器によれば、表示されている任意の第１のシンボル又は任意の第２のシンボルの少なくとも一方を所定の指示操作に応じて指定して、その指定されたシンボルの表示位置を所定の移動操作に応じて移動させ、移動操作の停止により第１のシンボルの表示位置と第２のシンボルの表示位置とが重なったことを検出した場合には、その第１のシンボルに対応する制御対象に対して、その第２のシンボルに対応する制御内容を実行するので、煩雑なスイッチ操作をすることなく、所望の制御対象に対して所望の制御内容を容易に実行させることができる。
【００１３】
本発明の電子機器は、前記表示手段が、前記シンボルが表示される表示画面の接触に応じてその接触位置を検出するタッチセンサを有するようにした。
【００１４】
従って、本発明の電子機器によれば、タッチセンサへの接触により所定の指示操作及び所定の移動操作が可能になるので、煩雑なスイッチ操作をすることなく、指などをタッチセンサ上で接触操作だけで、所望の制御対象に対して所望の制御内容を容易に実行させることができる。
【００１５】
本発明の電子機器は、前記指定手段が、任意のシンボルの表示位置において前記タッチセンサが接触された指示操作に応じて該シンボルを指定し、前記移動手段が、該シンボルの表示位置が接触された状態でスライド操作された移動操作に応じて該シンボルの表示位置を移動するようにした。
【００１６】
従って、本発明の電子機器によれば、表示されている任意の第１のシンボル又は任意の第２のシンボルの少なくとも一方に対応する表示位置のタッチセンサを指などの接触操作に応じて指定して、その指定されたシンボルの表示位置を接触した状態で、タッチセンサ上のスライド操作に応じて移動させ、スライド操作の停止により第１のシンボルの表示位置と第２のシンボルの表示位置とが重なったことを検出した場合には、その第１のシンボルに対応する制御対象に対して、その第２のシンボルに対応する制御内容を実行するので、煩雑なスイッチ操作をすることなく、タッチセンサの接触操作及びスライド操作だけで、所望の制御対象に対して所望の制御内容を容易に実行させることができる。
【００１７】
本発明の電子機器は、前記指定手段が、任意のシンボルの表示位置において前記タッチセンサが所定時間以上接触された場合に該シンボルを指定するようにした。
【００１８】
従って、本発明の電子機器によれば、任意のシンボルの表示位置においてタッチセンサが所定時間以上接触された場合に、そのシンボルを指定するので、瞬間的な接触による誤動作を防止することができる。
【００１９】
本発明の電子機器は、前記表示手段が、前記シンボルが表示される表示画面に照射される特定の光ビームに応じてその照射位置を検出する光センサを有するようにした。
【００２０】
従って、本発明の電子機器によれば、シンボルが表示される表示画面に照射される特定の光ビームに応じてその照射位置を検出するので、赤色レーザ光などの特定の光ビームを発光する指示装置を用いて、所定の指示操作及び所定の移動操作が可能になるので、煩雑なスイッチ操作をすることなく、表示画面から離れた位置からの無接触の遠隔操作によって、所望の制御対象に対して所望の制御内容を容易に実行させることができる。
【００２１】
本発明の電子機器は、前記指定手段が、任意のシンボルの表示位置において前記光センサが光ビームの照射による指示操作に応じて該シンボルを指定し、前記移動手段は、該シンボルの表示位置が照射された状態で該光ビームの移動操作に応じて該シンボルの表示位置を移動するようにした。
【００２２】
従って、本発明の電子機器によれば、任意のシンボルの表示位置において光センサが光ビームの照射による指示操作に応じてそのシンボルを指定し、そのシンボルの表示位置が照射された状態で、その光ビームの移動操作に応じて、そのシンボルの表示位置を移動するので、煩雑なスイッチ操作をすることなく、光ビームの照射及び照射位置の移動操作だけで、所望の制御対象に対して所望の制御内容を容易に実行させることができる。
【００２３】
本発明の電子機器は、前記指定手段が、任意のシンボルの表示位置において前記光センサが光ビームにより所定時間以上照射された場合に該シンボルを指定するようにした。
【００２４】
従って、本発明の電子機器によれば、任意のシンボルの表示位置において光センサが光ビームにより所定時間以上照射された場合に、そのシンボルを指定するので、瞬間的な光ビームの照射による誤動作を防止することができる。
【００２５】
本発明のナビゲーション装置は、地図画像及びナビゲーションに関する少なくとも１つのシンボルを表示する表示手段と、前記表示手段に表示されている任意のシンボルを所定の指示操作に応じて指定する指定手段と、前記指定手段により指定されたシンボルの表示位置を所定の移動操作に応じて移動させる移動手段と、前記移動操作の停止により前記指定されたシンボルの表示位置が存在する地図画像上の位置に対応する地点をナビゲーションに関する地点として設定する設定手段とを有するようにした。
【００２６】
従って、本発明のナビゲーション装置によれば、表示されている任意のシンボルを所定の指示操作に応じて指定して、その指定されたシンボルの表示位置を所定の移動操作に応じて移動させ、移動操作の停止により指定されたシンボルの表示位置が存在する地図画像上の位置に対応する地点をナビゲーションに関する地点として設定するので、煩雑なスイッチ操作をすることなく、表示された地図画像上の所望の位置をナビゲーションに関する地点として容易に設定することができる。
【００２７】
本発明のナビゲーション装置は、前記ナビゲーションに関するシンボルが、前記地図画像上の位置に対応する地点を登録する地点登録のシンボルであるようにした。
【００２８】
従って、本発明のナビゲーション装置によれば、表示されている地点登録のシンボルを所定の指示操作に応じて指定して、その指定されたシンボルの表示位置を所定の移動操作に応じて移動させ、移動操作の停止により地点登録のシンボルの表示位置が存在する地図画像上の位置に対応する地点を登録地点として設定するので、煩雑なスイッチ操作をすることなく、表示された地図画像上の所望の位置を登録地点として容易に設定することができる。
【００２９】
【発明の実施の形態】
以下、図面に基づいて、本発明の電子機器の実施の形態１乃至４として、車載音響装置を例に採って説明する。図１は実施の形態１乃至４における車載音響装置の構造を示す外観図である。
【００３０】
図１に示す車載音響装置は、筐体１の前面に操作パネル２が設けられている。この操作パネル２の端部寄りの位置には、音量調整用のボリュームつまみ３が設けられている。また、操作パネル２の略中央部には開口部２ａが形成され、その開口部２ａにディスプレイ・タッチセンサ４が露出している。具体的には、接触（「押下」ともいう。他の実施の形態についても同様）に応じてオンとなるスイッチ機能をもつタッチセンサが、表示機能をもつディスプレイの表示面に配置された構成になっている。
【００３１】
ディスプレイ（表示手段に相当する）は、ＬＣＤ（液晶表示デバイス）で構成されている。また、タッチセンサは、ＩＴＯ（Ｉｎｄｉｕｍ　Ｔｉｎ　Ｏｘｉｄｅ：インジウム、錫、及び酸素の化合物）を材料とする透明導電膜で構成され、電子ビーム蒸着法やスパッタリング法によって、ＬＣＤの表示面に形成されている。
【００３２】
図２は、図１の車載音響装置のシステム構成を示すブロック図である。音声や楽音などの音源を提供する音源機器１０は、ラジオ機器１１、ＣＤプレーヤ機器１２、ＣＤチェンジャ機器１３、ＭＤチェンジャ機器１４、その他の機器１５で構成されている。メインＣＰＵ２０（指定手段、移動手段、及び制御手段に相当する）は、システムバスを介してこれらの各機器に接続され、上記のディスプレイ・タッチセンサ４から入力されるユーザの指令に応じて、各機器に対する制御を行う。メインＣＰＵ２０はまた、インターフェース回路３０を介してディスプレイ・タッチセンサ４に接続され、ユーザの操作に応じてタッチセンサ４ａからの指令を取り込み、表示すべき画像データをディスプレイ４ｂに出力する。
【００３３】
図３は、実施の形態１において、ＣＤプレーヤ機器１２を制御する際の操作手順を示す図である。また、図４は、メインＣＰＵ２０による制御処理のフローチャートである。以下、図３及び図４を参照して、実施の形態１の動作について説明する。なお、図４のフローチャートについては、本発明に関連する要点のみについて説明し、その他の一般的な処理については説明を省略する。
【００３４】
図３（１）において、ディスプレイ・タッチセンサ４の画面には、シンボル４１（第１のシンボルに相当する）及びシンボル４２（第２のシンボルに相当する）が表示されている。シンボル４１は制御対象である特定のＣＤを表すアイコンであり、シンボル４２は制御内容であるリピート再生を表すアイコンである。なお、制御内容としては、リピート再生のほかにランダム再生やスキャン再生があり、それぞれ固有のアイコンで表示される。
【００３５】
次に、図３（２）において、ユーザが、所定の指示操作として、指５でシンボル４１のアイコンを所定時間（例えば、２、３秒）以上接触すると、メインＣＰＵ２０は、タッチセンサ４ａ及びインターフェース回路３０を介してその指示操作を検出し（ステップＳ１〜ステップＳ３）、シンボル４１のアイコン及びそのアイコンに対応する特定のＣＤの番号を指定する（ステップＳ４）。この場合において、メインＣＰＵ２０は、シンボル４１のアイコンを点滅させて、対応する特定のＣＤが指定されたことをユーザに報知する（ステップＳ５）。
【００３６】
次に、図３（３）において、ユーザが、所定の移動操作として、シンボル４１のアイコンを指５で接触した状態のまま、図の矢印の方向にドラッグ（移動）すると、メインＣＰＵ２０は、その移動操作に応じてシンボル４１のアイコンの表示位置を移動させる（ステップＳ６〜ステップＳ８）。この場合において、シンボル４１のアイコンの元の表示位置にコントラストを弱くした（表示度を低くした）アイコンを表示させてもよい。
【００３７】
図３（４）において、ユーザが接触した状態の指５をシンボル４２のアイコンまで移動させてドラッグを停止すると、シンボル４１のアイコンの表示位置がシンボル４２のアイコンの表示位置に重なる。メインＣＰＵ２０は、ドラッグの停止を検出し（ステップＳ９）、さらに、その停止した位置がシンボル４２上であることを検出すると（ステップＳ１０）、図３（４）に示すように、シンボル４２のアイコンを点滅させて、シンボル４２のアイコンの制御内容を実行する旨をユーザに報知する（ステップＳ１１）。次に、メインＣＰＵ２０は、指定した特定のＣＤをローディングして（ステップＳ１２）、そのＣＤのリピート再生を実行する（ステップＳ１３）。
【００３８】
図５は、実施の形態２において、ＣＤチェンジャ機器１３を制御する際の操作手順を示す図である。なお、この実施の形態２におけるメインＣＰＵ２０によって実行される制御処理は、図４に示した実施の形態１の制御処理とほぼ同じであるので、フローチャートは省略する。
【００３９】
図５（１）において、ディスプレイ・タッチセンサ４の画面には、シンボル４３（第１のシンボルに相当する）及びシンボル４２（第２のシンボルに相当する）が表示されている。シンボル４３は制御対象である複数（この場合６枚）のＣＤを表す複数のアイコンである。また、シンボル４２は、実施の形態１と同様に、制御内容であるリピート再生を表すアイコンである。
【００４０】
次に、図５（２）において、ユーザが、所定の指示操作として、指５でシンボル４３の１つのアイコン（この場合は２番目のＣＤのアイコン）を所定時間（例えば、２、３秒）以上接触すると、メインＣＰＵ２０は、タッチセンサ４ａ及びインターフェース回路３０を介してその指示操作を検出し、シンボル４１のアイコン及びそのアイコンに対応する特定のＣＤの番号を指定する。この場合において、メインＣＰＵ２０は、シンボル４３の対応するアイコンを点滅させて、対応する特定のＣＤが指定されたことをユーザに報知する。
【００４１】
次に、図５（３）において、ユーザが、所定の移動操作として、指定されたアイコンを指５で接触した状態のまま、図の矢印の方向にドラッグ（移動）すると、メインＣＰＵ２０は、その移動操作に応じてそのアイコンの表示位置を移動させる。この場合において、そのアイコンの元の表示位置にコントラストを弱くしたアイコンを表示させてもよい。
【００４２】
図５（４）において、ユーザが接触した状態の指５をシンボル４２のアイコンまで移動させてドラッグを停止すると、シンボル４３の指定されたアイコンの表示位置がシンボル４２のアイコンの表示位置に重なる。メインＣＰＵ２０は、ドラッグの停止を検出し、さらに、その停止した位置がシンボル４２上であることを検出すると、図５（５）に示すように、シンボル４３の指定されたアイコンを点滅させて、そのアイコンのＣＤを選択して、シンボル４２の制御内容を実行する旨をユーザに報知する。次に、メインＣＰＵ２０は、指定した特定のＣＤをローディングして、リピート再生を実行する。
【００４３】
図６は、実施の形態３において、ラジオ１１、ＣＤプレーヤ機器１２、ＣＤチェンジャ機器１３を制御する際の操作手順を示す図である。なお、この実施の形態３におけるメインＣＰＵ２０によって実行される制御処理は、図４に示した実施の形態１の制御処理とほぼ同じであるので、フローチャートは省略する。
【００４４】
図６（１）において、ディスプレイ・タッチセンサ４の画面には、シンボル４４（第１のシンボルに相当する）及びシンボル４５（第２のシンボルに相当する）が表示されている。シンボル４４は制御対象である複数（この場合３つ）の機器を表す複数のアイコン４４ａ、４４ｂ、４４ｃである。また、シンボル４５は、制御内容であるチャンネルを表すアイコンである。
【００４５】
チャンネルの制御内容は、制御対象によって異なる意味をもっている。制御対象がラジオ１１の場合には、チャンネルの番号は放送局の指定に用いられる。制御対象がＣＤプレーヤ機器１２の場合には、チャンネルの番号は曲の指定に用いられる。制御対象がＣＤチェンジャ機器１３（ＭＤチェンジャ機器１４も同様）の場合には、チャンネルの番号はディスク（ＣＤやＭＤ）の指定に用いられる。
【００４６】
次に、図６（２）において、ユーザが、所定の指示操作として、指５でシンボル４４の１つのアイコン（この場合はラジオのアイコン４４ａ）を所定時間（例えば、２、３秒）以上接触すると、メインＣＰＵ２０は、タッチセンサ４ａ及びインターフェース回路３０を介してその指示操作を検出し、そのアイコン４４ａ及びそのアイコン４４ａに対応するラジオ１１を指定する。この場合において、メインＣＰＵ２０は、シンボル４４の対応するアイコン４４ａを点滅させて、指の接触に対応する機器が指定されたことをユーザに報知する。
【００４７】
次に、図６（３）において、ユーザが、所定の移動操作として、指定されたアイコンを指５で接触した状態のまま、図の矢印の方向にドラッグ（移動）すると、メインＣＰＵ２０は、その移動操作に応じてそのアイコンの表示位置を移動させる。この場合において、そのアイコンの元の表示位置にコントラストを弱くしたアイコンを表示させてもよい。
【００４８】
図６（４）において、ユーザが接触した状態の指５をシンボル４５のアイコンまで移動させてドラッグ停止すると、指定されたアイコン４４ａの表示位置がシンボル４５のアイコンの表示位置に重なる。メインＣＰＵ２０は、ドラッグの停止を検出し、さらに、その停止した位置がシンボル４５のチャンネル番号の上であることを検出すると、図６（５）に示すように、シンボル４４の指定されたアイコン４４ａを点滅させるとともに、シンボル４５の指定されたチャンネル番号の表示を反転して、チャンネル３の放送を選択する旨をユーザに報知する。すなわち、指定された制御対象に対して指定された制御内容を実行する旨を報知する。そして、ラジオ１１を起動してチャンネル３の放送を受信する処理を行う。
【００４９】
なお、上記実施の形態３においては、放送の受信装置としてラジオ１１を例に採ったが、テレビ放送を受信する受信装置の場合も同様の操作手順となる。
【００５０】
図７は、実施の形態４において、ＣＤやＭＤなどのディスクの曲のタイトルを変更する際の操作手順を示す図である。なお、この実施の形態４における制御処理は、図４に示した実施の形態１の制御処理とほぼ同じであるので、フローチャートは省略する。
【００５１】
図７（１）において、ディスプレイ・タッチセンサ４の画面には、シンボル４６（第１のシンボルに相当する）及びシンボル４７（第２のシンボルに相当する）が表示されている。シンボル４６は制御対象であるタイトルを表すアイコンであり、シンボル４７は制御内容である調整モードを表すアイコンである。
【００５２】
次に、図７（２）において、ユーザが、所定の指示操作として、指５でシンボル４６を所定時間（例えば、２、３秒）以上接触すると、メインＣＰＵ２０は、タッチセンサ４ａ及びインターフェース回路３０を介してその指示操作を検出し、シンボル４６及びそのタイトルをストアしているメモリのアドレスを指定する。この場合において、メインＣＰＵ２０は、シンボル４６のアイコンであるタイトルを点滅させて、そのタイトルが調整対象のものとして指定されたことをユーザに報知する。
【００５３】
次に、図７（３）において、ユーザが、所定の移動操作として、指定されたアイコンを指５で接触した状態のまま、図の矢印の方向にドラッグ（移動）すると、メインＣＰＵ２０は、その移動操作に応じてそのアイコンの表示位置を移動させる。この場合において、そのアイコンの元の表示位置にコントラストを弱くしたアイコンを表示させてもよい。
【００５４】
図７（４）において、ユーザが接触した状態の指５をシンボル４７のアイコンまで移動させてドラッグ停止すると、シンボル４６の表示位置がシンボル４７のアイコンの表示位置に重なる。メインＣＰＵ２０は、ドラッグの停止を検出し、さらに、その停止した位置がシンボル４７の上であることを検出すると、図７（５）に示すように、シンボル４６の元の位置にタイトルを変更するためのスクロール処理を表すシンボル４８を点滅して表示させる。すなわち、指定された制御対象に対して指定された制御内容を実行する旨を報知する。
【００５５】
以上のように、上記実施の形態１乃至４によれば、表示されている任意の第１のシンボル又は任意の第２のシンボルの少なくとも一方に対応する表示位置のタッチセンサ４ａを指の接触操作に応じて指定して、その指定されたシンボルの表示位置を接触した状態で、タッチセンサ４ａ上のドラッグ操作に応じて移動させ、ドラッグ操作の停止により第１のシンボルの表示位置と第２のシンボルの表示位置とが重なったことを検出した場合には、その第１のシンボルに対応する制御対象に対して、その第２のシンボルに対応する制御内容を実行するので、煩雑なスイッチ操作をすることなく、タッチセンサ４ａの接触操作だけで、所望の制御対象に対して所望の制御内容を容易に実行させることができる。
【００５６】
また、上記実施の形態１乃至４によれば、任意のシンボルの表示位置においてタッチセンサが所定時間以上接触された場合に、そのシンボルを指定するので、瞬間的な接触による誤動作を防止することができる。
【００５７】
なお、上記実施の形態１乃至４においては、車載音響装置を例に採って本発明の電子機器を説明したが、本発明の電子機器は上記実施の形態の車載音響装置に限定されるものではない。すなわち、制御対象を表す少なくとも１つの第１のシンボル及び制御内容を表す少なくとも１つの第２のシンボルを表示する表示手段と、前記表示手段に表示されている任意の第１のシンボル又は任意の第２のシンボルの少なくとも一方を所定の指示操作に応じて指定する指定手段と、前記指定手段により指定されたシンボルの表示位置を所定の移動操作に応じて移動させる移動手段と、前記移動操作の停止により第１のシンボルの表示位置と第２のシンボルの表示位置とが重なったことを検出した場合には、該第１のシンボルに対応する制御対象に対して該第２のシンボルに対応する制御内容を実行する制御手段とを有するような構成であれば、車載音響装置以外のあらゆる電子機器に対して本発明を適用することが可能である。
【００５８】
次に、図面に基づいて本発明の電子機器の実施の形態５として、会議や講演などに使用される大型表示画面をもつ表示システム装置を例に採って説明する。図８は実施の形態５における表示システム装置を示す外観図である。表示システム装置６は、大型表示画面であるディスプレイ・センサ７を備えている。このディスプレイ・センサ７は、画像を表示する機能をもつディスプレイと光ビームの照射を検出する機能をもつ光センサで構成されている。光センサとしては、例えば、ＩＴＯなどからなる透明導電膜にフォトダイオードやフォトトランジスタなどの光検出機能をもつ半導体を形成して作製する。
【００５９】
いま、ディスプレイ・センサ７には、制御対象としてのシンボル４９（第１のシンボルに相当する）及び制御内容としてのシンボル５０（第１のシンボルに相当する）が表示されている。この場合には、会議用の書類の画像がシンボル４９であり、その書類を処理するための印刷のシンボル５０ａ、ファックスのシンボル５０ｂ、変更のシンボル５０ｃ、及びその他の処理のシンボル５０ｄが表示されている。
【００６０】
レーザ指示装置８は、赤色レーザの光ビーム９を発光する装置である。会議の発表者などのユーザは、このレーザ指示装置８の操作によって、発光する光ビーム９をディスプレイ・センサ７に照射して、表示画面の任意の位置を指定することができる。さらに、任意のシンボルに照射した状態で、光ビーム９を画面上で移動することにより、実施の形態１乃至４におけるタッチセンサ上の場合と同様に、ドラッグ操作を行うことができる。
【００６１】
図９は、図８の表示システム装置６のシステム構成を示すブロック図である。メインＣＰＵ６１は、インターフェース回路６２を介してディスプレイ・センサ７に接続され、光センサ７ａ及びディスプレイ７ｂを制御する。メインＣＰＵ６１はまた、画像サーバ６３、プリンタ６４、及びファクシミリなどの他の機器６５に接続され、これらとの間でデータ及びコマンドの授受を行う。画像サーバ６３には、制御対象としてディスプレイ７ｂに表示されるシンボル４９に対応する書類その他の画像データが記憶されている。
【００６２】
次に、実施の形態５において、メインＣＰＵ６１の制御処理の動作について説明するが、この場合の制御処理は、指の接触を検出する処理の代わりに、光ビーム９の照射を検出する処理を行う点を除けば、図４に示した実施の形態１の制御処理とほぼ同じであるので、フローチャートは省略する。
【００６３】
図８において、ユーザが、所定の指示操作として、レーザ指示装置８からの光ビーム９でシンボル４９の１つの画像４９ａを所定時間（例えば、２、３秒）以上照射すると、メインＣＰＵ６１は、光センサ７ａ及びインターフェース回路６２を介してその指示操作を検出し、シンボル４９の画像４９ａを指定する。この場合において、メインＣＰＵ６１は、シンボル４９の画像４９ａを点滅させて、その画像が指定されたことをユーザに報知する。
【００６４】
次に、ユーザが、所定の移動操作として、光ビーム９を指定されたシンボル４９の画像４９ａに照射した状態のまま、図の矢印の方向にドラッグ（移動）すると、メインＣＰＵ６１は、その移動操作に応じてその画像４９ａの表示位置を移動させる。この場合において、その画像４９ａの元の表示位置にコントラストを弱くしたアイコンを表示させてもよい。
【００６５】
そして、ユーザが光ビーム９を照射した状態でシンボル５０の印刷マークの画像５０ａまで移動させてドラッグ停止すると、シンボル４９の画像４９ａの表示位置がシンボル５０の印刷マークの画像５０ａの表示位置に重なる。メインＣＰＵ６１は、ドラッグの停止を検出し、さらに、その停止した位置がシンボル５０の印刷マークの画像５０ａ上であることを検出すると、シンボル４９の画像４９ａに対応する書類の画像データを画像サーバ６３から読み出して、プリンタ６４に出力してプリントアウトする。印刷マークの画像５０ａ以外の画像についても同様である。例えば、ファクスマークの画像５０ｂ上にシンボル４９の画像４９ａをドラッグした場合には、シンボル４９の画像４９ａに対応する書類の画像データを画像サーバ６３から読み出して、ファックス送信する。すなわち、指定された制御対象に対して指定された制御内容を実行する。
【００６６】
以上のように、上記実施の形態５によれば、シンボルが表示される表示画面７に照射される特定の光ビームに応じてその照射位置を検出するので、赤色レーザの特定の光ビーム９を発光するレーザ指示装置８を用いて、光ビーム９の照射による指示操作及び光ビーム９のドラッグによる移動操作が可能になるので、煩雑なスイッチ操作をすることなく、表示画面から離れた位置からの無接触の遠隔操作によって、所望の制御対象に対して所望の制御内容を容易に実行させることができる。
【００６７】
また、上記実施の形態５によれば、任意のシンボルの表示位置において光センサ７ａが光ビーム９により所定時間以上照射された場合に、そのシンボルを指定するので、瞬間的な光ビームの照射による誤動作を防止することができる。
【００６８】
次に、図面に基づいて本発明の実施の形態６におけるナビゲーション装置について説明する。このナビゲーション装置の外観は、図１に示した実施の形態１の車載音響装置の外観とほぼ同じである。すなわち、筐体の前面に操作パネルが設けられ、その略中央部には開口部が形成され、その開口部にディスプレイ・タッチセンサが露出している。具体的には、接触に応じてオンとなるスイッチ機能をもつタッチセンサが、表示機能をもつディスプレイの表示面に配置された構成になっている。
【００６９】
図１０は、実施の形態６におけるナビゲーション装置のシステム構成を示すブロック図である。この図に示すように、地図画像のデータが記憶されたＣＤ−ＲＯＭを再生するＣＤ−ＲＯＭプレーヤ７１、車両の位置、車両の方位、車速などを検出する車両センサ７２、交通情報を受信する受信機などのその他の機器７３が、メインＣＰＵ７４（指定手段、移動手段、及び設定手段に相当する）のシステムバスに接続されている。また、メインＣＰＵ７４には、インターフェース回路７５を介してディスプレイ・タッチセンサ７６（表示手段に相当する）が接続され、タッチセンサ７６ａ及びディスプレイ７６ｂを制御する。
【００７０】
図１１は、実施の形態６において、ナビゲーションの地点登録を行う際の操作手順を示す図である。なお、メインＣＰＵ７４の制御処理の動作は、図４に示した実施の形態１の制御処理とほぼ同じであるので、フローチャートについては省略する。
【００７１】
図１１（１）において、ディスプレイ・タッチセンサ７６の画面には、シンボル７７（シンボルに相当する）及び地図画像７８が表示されている。シンボル７７はナビゲーション処理の１つである地点登録を表すアイコンある。このシンボル７７のアイコンのほかに、経路探索や高速料金計算などの種々のナビゲーション処理に関するシンボル７９が表示されている。
【００７２】
次に、図１１（２）において、ユーザが、所定の指示操作として、指５でシンボル７７のアイコンを所定時間（例えば、２、３秒）以上接触すると、メインＣＰＵ７４は、タッチセンサ７６ａ及びインターフェース回路７５を介してその指示操作を検出し、シンボル７７のアイコン及びそのアイコンに対応する地点登録のコマンドを指定する。この場合において、メインＣＰＵ７４は、シンボル７７のアイコンを点滅させて、地点登録が指定されたことをユーザに報知する。
【００７３】
次に、図１１（３）において、ユーザが、所定の移動操作として、指定されたシンボル７７のアイコンを指５で接触した状態のまま、図の矢印の方向にドラッグ（移動）すると、メインＣＰＵ７４は、その移動操作に応じてそのアイコンの表示位置を移動させる。この場合において、そのアイコンの元の表示位置にコントラストを弱くしたアイコンを表示させてもよい。
【００７４】
図１１（４）において、ユーザが接触した状態の指５を地図画像７８上の特定の地点まで移動させてドラッグを停止すると、シンボル７７のアイコンの表示位置がその地点の表示位置に重なる。メインＣＰＵ７４は、ドラッグの停止を検出すると、図１１（５）に示すように、地図画像７８の指定された位置において、シンボル７７の地点登録のアイコンを点滅させて、その位置に対応する地点が登録地点として設定された旨をユーザに報知する。同時に、その地図画像の位置に対応する実際の地点のデータをメモリに登録する。
【００７５】
なお、上記実施の形態６においては、ナビゲーションに関するシンボルとして地点登録のシンボルを例に採って本発明を説明したが、例えば、経路探索のシンボルを地図画像の目的の位置にドラッグした場合には、煩雑なスイッチ操作をすることなく、その地点に最も近いルートを地図画像上に表示できる。あるいは、高速料金計算のシンボルを地図画像の料金所の位置にドラッグした場合には、支払うべき高速料金がディスプレイ７６に表示される。
【００７６】
実施の形態６のナビゲーション装置によれば、表示されている任意のシンボルを指の接触に応じて指定して、その指定されたシンボルの表示位置をドラッグ操作に応じて移動させ、ドラッグ操作の停止により指定されたシンボルの表示位置が存在する地図画像上の位置に対応する地点を、ナビゲーションに関する地点として設定するので、煩雑なスイッチ操作をすることなく、表示された地図画像上の所望の位置をナビゲーションに関する地点として容易に設定することができる。
【００７７】
【発明の効果】
上記のように構成された本発明の電子機器によれば、表示されている任意の第１のシンボル又は任意の第２のシンボルの少なくとも一方を所定の指示操作に応じて指定して、その指定されたシンボルの表示位置を所定の移動操作に応じて移動させ、前記移動操作の停止により第１のシンボルの表示位置と第２のシンボルの表示位置とが重なったことを検出した場合には、該第１のシンボルに対応する制御対象に対して該第のシンボルに対応する制御内容を実行するので、煩雑なスイッチ操作をすることなく、所望の制御対象に対して所望の制御内容を容易に実行させることができる。
【００７８】
また、上記のように構成された本発明のナビゲーション装置によれば、表示されている任意のシンボルを所定の指示操作に応じて指定して、その指定されたシンボルの表示位置を所定の移動操作に応じて移動させ、移動操作の停止により指定されたシンボルの表示位置が存在する地図画像上の位置に対応する地点をナビゲーションに関する地点として設定するので、煩雑なスイッチ操作をすることなく、表示された地図画像上の所望の位置をナビゲーションに関する地点として容易に設定することができる。
【図面の簡単な説明】
【図１】本発明の電子機器の実施の形態１乃至４における車載音響装置の外観図である。
【図２】本発明の実施の形態１乃至４における車載音響装置のシステム構成を示すブロック図である。
【図３】本発明の実施の形態１における車載音響装置のＣＤプレーヤ機器を制御する際の操作手順を示す図である。
【図４】本発明の実施の形態１においてメインＣＰＵによって実行されるＣＤプレーヤ機器の制御処理のフローチャートである。
【図５】本発明の実施の形態２における車載音響装置のＣＤチェンジャ機器を制御する際の操作手順を示す図である。
【図６】本発明の実施の形態３における車載音響装置の音源機器を制御する際の操作手順を示す図である。
【図７】本発明の実施の形態４における車載音響装置の曲のタイトルを変更する際の操作手順を示す図である。
【図８】本発明の実施の形態５における表示システム装置の外観図である。
【図９】本発明の実施の形態５における表示システム装置のシステム構成を示すブロック図である。
【図１０】本発明の実施の形態６におけるナビゲーション装置のシステム構成を示すブロック図である。
【図１１】本発明の実施の形態６におけるナビゲーション装置の地点登録の操作手順を示す図である。
【符号の説明】
４　　ディスプレイ・タッチセンサ（表示手段）
７　　ディスプレイ・センサ（光センサ）
２０　メインＣＰＵ（指定手段、移動手段、制御手段）
４１、４３、４４、４６、４９　制御対象のシンボル（第１のシンボル）
４２、４５、４７、５０　制御内容のシンボル（第２のシンボル）
【図１】
2004118917.tif 000003
【図２】
2004118917.tif 000004
【図３】
2004118917.tif 000005
【図４】
2004118917.tif 000006
【図５】
2004118917.tif 000007
【図６】
2004118917.tif 000008
【図７】
2004118917.tif 000009
【図８】
2004118917.tif 000010
【図９】
2004118917.tif 000011
【図１０】
2004118917.tif 000012
【図１１】
2004118917.tif 000013